(57)【要約】【課題】細かく小さな食材等の被包装物の取り出し容易性を損うことなく側壁部の拡開方向の変形を効果的に抑制することができる包装用容器を提供することを課題とする。【解決手段】合成樹脂シートから熱成形された上面開口の容器本体１を備え、該容器本体１は、周縁部に平坦な接地面部１１が形成された底面部１０と、該底面部１０の周縁部から上方に向けて拡開するように立ち上がる側壁部２０とを有し、底面部１０の周縁部には、接地面部１１を局所的に外側に拡張するように接地面拡張部１３が突設され、側壁部２０には、接地面拡張部１３の外縁から側壁部２０の上下方向中途部まで延びる突っ張り壁部２８が形成され、該突っ張り壁部２８は、その左右両側の側壁部２０の部分よりも急勾配に形成されている。【選択図】図６
2014218265.tif 000002
【特許請求の範囲】
【請求項１】
合成樹脂シートから熱成形された上面開口の容器本体を備え、
該容器本体は、周縁部に平坦な接地面部が形成された底面部と、該底面部の周縁部から上方に向けて拡開するように立ち上がる側壁部とを有し、
底面部の周縁部には、接地面部を局所的に外側に拡張するように接地面拡張部が突設され、側壁部には、接地面拡張部の外縁から側壁部の上下方向中途部まで延びる突っ張り壁部が形成され、該突っ張り壁部は、その左右両側の側壁部の部分よりも急勾配に形成されていることを特徴とする包装用容器。
【請求項２】
側壁部の上端部にフランジ部が周設され、該フランジ部の外縁形状は平面視略方形状であり、該フランジ部の四つの隅部に対応した側壁部の四つの位置にそれぞれ突っ張り壁部が形成されている請求項１記載の包装用容器。
【請求項３】
容器本体の開口部を内嵌合により密封する蓋体を備えている請求項１又は２記載の包装用容器。
【請求項４】
容器本体の開口部を閉塞するための蓋体を備え、該蓋体の上面には、包装用容器を積み上げた際に上側の容器本体の接地面拡張部が係合可能な係合部が形成されている請求項１乃至３の何れかに記載の包装用容器。
【発明の詳細な説明】
【技術分野】
【０００１】
本発明は、上面開口の容器本体を備えた包装用容器に関する。
【背景技術】
【０００２】
上面開口の容器形状においては、側壁部が底面部の周縁部から上方に拡開しつつ立ち上がっていることから、その側壁部に下方に向けて圧縮するような外力が作用した場合において、それに対する強度が求められる。特に近年では容器の軽量化、樹脂量の軽減がより一層求められており、容器が合成樹脂シートから熱成形されて形成されている場合には、使用する合成樹脂シートのシート厚を薄くすることにより、容器の軽量化と樹脂量の軽減を行うことになる。しかしながら、シート厚を薄くすると容器の強度、剛性は急激に低下することから、何からの補強対策が必要になってくる。特に、側壁部に上方から圧縮方向の力が作用した場合、側壁部は底面部に対して拡開する方向に変形しようとするため、この変形が一箇所に集中しやすく、その部分が凹んだりしやすくなるのである。そこで、この変形を抑制するために、底面部から側壁部にかけて縦方向（上下方向）のリブを多数形成することが知られており、下記特許文献１では容器の内側に向けて突出した内面凸（外面凹）の縦方向のリブを底面部から側壁部にかけて多数形成した容器が提案されている。
【０００３】
しかしながら、底面部から側壁部にかけて延びるリブを容器の内面に多数突出させると、例えば細かくカットされたカット野菜や豆等の惣菜、あるいは、ブルーベリー等のような小さな果物等、細かく小さな食材を収容する場合においては、底面部から側壁部にかけて連続的に内面に突出しているリブに食材が引っかかったり、リブとリブとの間の隙間に食材が残ったりしやすい。即ち、これらの食材を箸やスプーン等で容器から取り出す際にリブが邪魔になって食材が取り出しにくいという問題がある。
【０００４】
また逆に、底面部から側壁部にかけて延びるリブを内面凸ではなく外面凸に形成することも考えられる。しかしながら、この場合には、底面部の外面（下面）にリブが下側に向けて突出することになるため、容器に上から力が作用した場合には、その底面部におけるリブの突出方向の頂部即ち最下部に力が集中することになり、底面部におけるリブが突出方向（上下方向）に押しつぶれやすいという問題がある。
【先行技術文献】
【特許文献】
【０００５】
【特許文献１】特開２０１１−７３７２５号公報
【発明の概要】
【発明が解決しようとする課題】
【０００６】
それゆえに本発明は上記従来の問題点に鑑みてなされ、細かく小さな食材等の被包装物の取り出し容易性を損うことなく側壁部の拡開方向の変形を効果的に抑制することができる包装用容器を提供することを課題とする。
【課題を解決するための手段】
【０００７】
本発明は、上記課題を解決すべくなされたものであって、本発明に係る包装用容器は、合成樹脂シートから熱成形された上面開口の容器本体を備え、該容器本体は、周縁部に平坦な接地面部が形成された底面部と、該底面部の周縁部から上方に向けて拡開するように立ち上がる側壁部とを有し、底面部の周縁部には、接地面部を局所的に外側に拡張するように接地面拡張部が突設され、側壁部には、接地面拡張部の外縁から側壁部の上下方向中途部まで延びる突っ張り壁部が形成され、該突っ張り壁部は、その左右両側の側壁部の部分よりも急勾配に形成されていることを特徴とする。
【０００８】
該構成の包装用容器にあっては、容器本体の底面部の周縁部に平坦な接地面部が形成されているので、容器本体を載置面に載置した際にはその載置面に平坦な接地面部が接することになり、側壁部に上方から力が作用した場合であっても安定した接地状態が得られる。また、底面部の周縁部には接地面部を局所的に拡張する接地面拡張部が突設され、該接地面拡張部の外縁から突っ張り壁部が立ち上がっているので、接地面拡張部において側壁部の立ち上がりポイントは側壁部の他の部分に比して外側にオフセットされることになる。そして、突っ張り壁部がその左右両側の部分に比して急勾配に形成されていて側壁部の上下方向中途部まで延びているので、側壁部に上方から圧縮方向の力が作用した場合に、突っ張り壁部が突っ張りとなって側壁部を支持する。突っ張り壁部は外方に膨出した凸形状であるので上下方向の力に対する強度、剛性が大きく、しかも、その左右両側の側壁部の部分に比して全体として急勾配であるので、側壁部に上方から圧縮方向の力が作用した場合に側壁部が拡開方向に変形しようとしても、突っ張り壁部が側壁部の突っ張りとして機能して側壁部を支持し、その拡開方向の変形を抑制する。尚、突っ張り壁部がその左右両側の側壁部の部分よりも急勾配に形成されていることから、突っ張り壁部の膨出量は、全体として上方に向けて漸減する。
【０００９】
また、突っ張り壁部は外側に膨出した形状であって内面には突出していないので、被包装物が細かい食材や小さな食材であっても、突っ張り壁部が取り出しの邪魔になるということもなく、スムーズに容器本体から被包装物を取り出すことができる。更に、突っ張り壁部が形成されることによってその箇所の内面は凹んだ形状となっており、また接地面拡張部が外側に張り出した状態となっているので、例えば底面部の内面に位置する小さな食材等の被包装物を、接地面拡張部の内面と突っ張り壁部の内面によって形成される張り出し空間に追い込んで安定させるということもでき、その状態から容易に箸等で被包装物を取り出すことができる。
【００１０】
特に、側壁部の上端部にフランジ部が周設され、該フランジ部の外縁形状が平面視略方形状である場合には、該フランジ部の四つの隅部に対応した側壁部の四つの位置にそれぞれ突っ張り壁部が形成されていることが好ましい。フランジ部の外縁形状が平面視略方形状である場合にはそのフランジ部の四つの隅部に上方から力が作用しやすく、また容器本体の中心からの距離も長いことから、側壁部はその隅部に対応した位置において変形しやすいが、その変形を突っ張り壁部によって効果的に抑制することができる。しかも、四つの隅部に対応した側壁部の位置にそれぞれ突っ張り壁部が形成されているので、フランジ部に作用する上方からの力に対して四つの突っ張り壁部は略均等に分担して側壁部を支えることができる。
【００１１】
また、容器本体の開口部を内嵌合により密封する蓋体を備えている場合には突っ張り壁部を設けることが効果的である。このような内嵌合容器においては、容器本体の開口縁部に上側ほど内側に向かう逆テーパ状の嵌合壁部が周設されてその内面が内嵌合面として構成され、蓋体にもそれに対応して下側ほど外側に向かう逆テーパ状の嵌合壁部が周設されてその外面が内嵌合面として構成されている。そして、蓋体を閉じる際に蓋体の嵌合壁部が容器本体の嵌合壁部の内側に進入して内嵌合する。そのため、蓋体を閉じる際には、容器本体に対して蓋体を上から強く押しつける必要がある。また、内嵌合によって容器本体の開口部が密封状態に閉塞されるので、閉蓋動作によって容器の内圧が高まりやすく、その内圧によって容器本体が外側に変形しやすい。従って、このような内嵌合容器においては特に容器本体の側壁部に突っ張り壁部を形成することが好ましく、蓋体を閉じる際における容器本体の変形を効果的に抑制することができる。
【００１２】
また、容器本体の開口部を閉塞するための蓋体を備えている場合において、該蓋体の上面には、包装用容器を積み上げた際に上側の容器本体の接地面拡張部が係合可能な係合部が形成されていることも好ましく、容器本体の接地面拡張部を有効に利用して段積み時における包装用容器の横方向の位置ずれを防止することができ、安定した段積み状態が得られる。
【発明の効果】
【００１３】
以上のように、本発明に係る包装用容器にあっては、側壁部に上方から作用する圧縮方向の力に対して、急勾配の突っ張り壁部が側壁部を突っ張るようにして支えるので、側壁部の拡開方向の変形を効果的に抑制することができる。また、従来のような底面部から側壁部にかけて延びる多数のリブとは異なり、平坦な接地面部によって安定した接地状態が得られると共に、被包装物が細かくカットされた食材や小さな食材であっても突っ張り壁部がその取り出しの邪魔になるということもない。
【図面の簡単な説明】
【００１４】
【図１】本発明の一実施形態における包装用容器の閉蓋状態を示す正面図。
【図２】同包装用容器の開蓋状態を示す正面図。
【図３】同包装用容器の閉蓋状態を示す平面図。
【図４】同包装用容器の容器本体を示す平面図。
【図５】同包装用容器の容器本体を示す底面図。
【図６】同包装用容器の容器本体を斜め下方から見た斜視図。
【図７】同包装用容器の蓋体を示す平面図。
【図８】図３のＰ−Ｐに対応した開蓋状態における断面図。
【図９】図３のＰ−Ｐに対応した閉蓋状態における要部拡大断面図。
【図１０】図４のＱ−Ｑ断面図。
【図１１】同包装用容器の容器本体の要部を示し、（ａ）は正面図、（ｂ）は底面図。
【図１２】（ａ）乃至（ｃ）は同包装用容器の容器本体の要部を示す模式図。
【図１３】（ａ）乃至（ｃ）は同包装用容器の容器本体の要部を模式図として示す底面図。
【図１４】（ａ）乃至（ｃ）は同包装用容器の容器本体の要部を模式図として示す底面図。
【図１５】（ａ）乃至（ｃ）は本発明の他の実施形態における包装用容器の容器本体の要部を示す底面図。
【図１６】（ａ）及び（ｂ）は本発明の他の実施形態における段積み状態の包装用容器の要部を示す平面図。
【図１７】本発明の他の実施形態における段積み状態の包装用容器の要部を示す断面図。
【発明を実施するための形態】
【００１５】
以下、本発明の一実施形態に係る包装用容器について図１〜図１４を参酌しつつ説明する。本実施形態における包装用容器は、各種の被包装物を収容可能であって、図１〜図３に閉蓋状態を示しているように、上面開口の容器本体１と、容器本体１の開口部を閉塞するための蓋体２とを備えている。これら容器本体１と蓋体２は、何れも合成樹脂シートを熱成形することにより形成されたものである。従って、内面と外面は原則として表裏一体の関係にあり、内面が凸形状であればそれに対応した外面の箇所は凹形状となる。被包装物は特には限定されないが各種の食材が好適であり、電子レンジで加熱調理する用途にも好適である。また、後述するように内嵌合容器とすれば、水分等の液体を含有する食材を収容してもその液体がこぼれにくくなる。
【００１６】
容器本体１は、図４〜図６にも示しているように、底面部１０と、該底面部１０の周縁部から拡開しつつ上方に立ち上がる側壁部２０とを有しており、好ましくは側壁部２０の上端部から外方に延設されたフランジ部３０を有するものである。
【００１７】
底面部１０は、方形等の多角形、楕円形、円形等、種々の形状であってよく、例えば、方形の場合であってもその各辺が直線状ではなく外側凸に湾曲していたり内側凸に湾曲していたりしてもよい。底面部１０は、本実施形態においては略円形である。底面部１０は周縁領域（外側領域）と中央領域（内側領域）に区画され、周縁領域はその下面が所定幅のリング状に形成された平坦面であって容器本体１を載置面に載置した際にその載置面に接する接地面部１１である。該接地面部１１は全周に亘って凹凸のない連続した同一平面を構成している。接地面部１１は全周に亘って連続した平坦面とすることが好ましいが、全周のうちの所定箇所に不連続部分があってもよい。少なくとも平坦な接地面部１１で接地するように、底面部１０の下面には接地面部１１よりも下側に突出した凸部は形成しないようにする。中央領域は、図８及び図１０にも示しているように、接地面部１１によって囲まれた例えば円形の領域であって、載置面に接しないように接地面部１１の内縁から上側凸に凹んだ非接地面としての上げ底部１２となっている。このように上げ底部１２を形成すると、特に、包装用容器を耐熱素材とし、電子レンジで加熱調理する用途に適用した場合において有効であり、電子レンジの電磁波を効率良く内容物に伝達できて短時間で均一に加熱調理することができる。また底面部１０の内面に残った細かい食材等の被包装物が上げ底部１２の内面から接地面部１１の内面に集まりやすくなり、取り出しが容易にもなる。上げ底部１２の形状は任意であって、またそれを省略してもよい。
【００１８】
接地面部１１の周縁部の所定箇所には外側に突出した接地面拡張部１３が形成されている。該接地面拡張部１３は接地面部１１を局所的に外側に拡張するようにして形成されており、従って、接地面拡張部１３も接地面部１１の他の部分と同一平面を構成している。該接地面拡張部１３は、底面部１０の周縁部に複数箇所形成されることが好ましい。複数の接地面拡張部１３の個数は任意であるが例えば三個〜六個であって、互いに同一形状、同一サイズとすることが好ましいが、異なる形状や大きさとしてもよい。
【００１９】
また、接地面拡張部１３を接地面部１１の周縁部に複数の箇所に形成する場合には複数の箇所に均等に分散して配置することが好ましい。この接地面拡張部１３の均等分散配置の代表例を図１３及び図１４に示している。図１３及び図１４において符号Ａで示している箇所が接地面拡張部１３を形成する箇所である。例えば、底面部１０が略円形である場合には、図１３（ａ）のように、周方向に等間隔で配置する。接地面拡張部１３を例えば四箇所に形成する場合には９０度間隔で配置する。また、図１３（ｂ）のように、複数個例えば二個の接地面拡張部１３を一組とし、その組（ペア）を周方向に等間隔で配置してもよい。また、底面部１０が略正方形である場合には、図１３（ｃ）のように、四つの隅部にそれぞれ接地面拡張部１３を形成する。また、図１４（ａ）のように、四つの隅部の左右両側にそれぞれ一箇所ずつ接地面拡張部１３を形成するようにしてもよい。また、底面部１０が略長方形である場合も同様であって、図１４（ｂ）のように四つの隅部にそれぞれ接地面拡張部１３を形成してもよいし、図１４（ｃ）のように、四つの隅部の左右両側にそれぞれ一箇所ずつ接地面拡張部１３を形成するようにしてもよい。何れにしても、接地面拡張部１３を接地面部１１の周縁部の複数の箇所に全体として均等に分散して配置することが好ましい。但し、接地面拡張部１３を不均等に配置してもよいし、周方向に不等間隔で配置してもよいし、特に上から荷重が作用しやすい箇所のみに形成してもよく、一箇所のみ形成してもよい。尚、本実施形態では底面部１０が略円形であって接地面拡張部１３を９０度間隔で合計四箇所形成している。
【００２０】
接地面拡張部１３の形状も矩形としたり半円形としたりする等任意であるが、本実施形態では、図１１（ｂ）に拡大して示しているように底面視において略三角形、より詳細には略二等辺三角形である。そして、その略二等辺三角形の頂角は鈍角とされることが好ましい。従って、接地面拡張部１３はその突出量Ｃに対して幅Ａが大きい形状とされることが好ましい。具体的には、突出量Ｃに対して幅Ａが１．５倍〜５倍となることが好ましい。接地面拡張部１３の寸法としては、突出量Ｃが例えば３〜１０ｍｍ程度、幅Ａが例えば５〜３０ｍｍ程度とすることができる。但し、略二等辺三角形の頂角が直角であってもよいし鋭角であってもよい。また、接地面拡張部１３が三角形以外の多角形であってもよい。何れにしても、接地面拡張部１３は外側に向けて先細りとなる先細り形状とされることが好ましい。先細り形状はその他の種々の形状であってよく、例えば図１５（ａ）に示す如く半円形のように左右両端から外側凸の円弧を描きつつ先端（径方向外側）に向かって先細りとなる形状であってもよいし、逆に、図１５（ｂ）の如く左右両端から外側凹の円弧を描きつつ先端（径方向外側）に向かって先鋭的に先細り形状となる形状であってもよい。また、先細り形状ではなく例えば図１５（ｃ）に示す如く方形のように幅一定で径方向外側に向かって突出する形状であってもよい。
【００２１】
側壁部２０は、開口縁部に内嵌合構造を備えることが好ましく、その構成も種々のものであってよいが、例えば、図８及び図１０に断面図で示しているように、底面部１０の接地面部１１の外縁から上方に立ち上がる側壁主部２１と、該側壁主部２１の上側に形成されて側壁主部２１よりも垂直に近い立ち上がり角度で立ち上がる第一側壁上部２２と、該第一側壁上部２２の上側に段差部２３を介して形成された第二側壁上部２４と、該第二側壁上部２４の上側に段差部２５及び面取り部２６を介して形成された嵌合壁部２７とを備えた構成とすることができる。
【００２２】
側壁主部２１は、底面部１０の接地面部１１の外縁から緩やかな角度で上方に立ち上がっており、具体的には、外側凸の円弧を描きつつ、即ち、椀状のように外側凸に湾曲しつつ上方に立ち上がっているが、逆に、外側凹に湾曲しつつ上方に立ち上がっていてもよく、その立ち上がり角度や形状は任意である。該側壁主部２１の下部外面には図１０のように突っ張り壁部２８が形成されている。該突っ張り壁部２８は、接地面拡張部１３毎にそれぞれ形成され、接地面拡張部１３の外縁から上方に向けて延設されている。従って、突っ張り壁部２８は接地面拡張部１３の突出形状に対応して外側に膨出している。上述したように本実施形態においては９０度間隔で合計四箇所の接地面拡張部１３が形成されているので、突っ張り壁部２８も９０度間隔で四箇所形成されている。
【００２３】
接地面拡張部１３が接地面部１１の他の部分に比して外側に突出しているので、突っ張り壁部２８の立ち上がりポイントは側壁主部２１（側壁部２０）の他の部分における立ち上がりポイントに比して外側にオフセットしている。そして、突っ張り壁部２８の膨出量は全体として上方に向けて漸減し、側壁部２０の上下方向中途部において、詳細には、例えば側壁主部２１の上下方向略中央部において、その膨出量が０となっている。即ち、突っ張り壁部２８は、接地面拡張部１３の外縁から側壁部２０の上下方向中途部まで形成されている。側壁部２０の上下方向中途部とは、側壁部２０の上端部まで達しない程度であって、側壁部２０が内嵌合構造としての嵌合壁部２７を備えている場合には、最も高い場合であってもその嵌合壁部２７に達しない程度である。
【００２４】
このように突っ張り壁部２８の膨出量が上方に向けて徐々に減少していることから、突っ張り壁部２８はその左右両側における側壁主部２１（側壁部２０）の部分に比して全体として急勾配で立ち上がることになる。また、図１１（ａ）のように、突っ張り壁部２８の形状は、上側ほど幅狭となる形状となっており、例えば正面視において略三角形となっている。複数の突っ張り壁部２８は互いに同一形状、大きさとすることが好ましいが、異なる形状や大きさとしてもよい。尚、突っ張り壁部２８の高さＢは任意であるが例えば５〜２０ｍｍ程度である。また、突っ張り壁部２８の高さＢは、突っ張り壁部２８の幅Ａに対して好ましくは０．５倍以上１．５倍以下（０．５Ａ≦Ｂ≦１．５Ａ）、より好ましくは０．５倍以上１倍以下（０．５Ａ≦Ｂ≦Ａ）である。また、突っ張り壁部２８は、その左右両側の側壁部２０の部分よりも急勾配であればよく、従って、例えば、突っ張り壁部２８を除く側壁部２０の部分が一定の勾配（立ち上がり角度）であってもよいし、突っ張り壁部２８を除く側壁部２０の部分の勾配に大小変化があってもよいし、側壁部２０の一部に突っ張り壁部２８と同等あるいはそれ以上に急勾配な部分があってもよい。突っ張り壁部２８の形状は、上側ほど幅狭となる形状とすることが好ましく、正面視略三角形の他、正面視略台形等、種々の形状であってもよく、また、幅一定で上方に延びていてもよい。また、図１２に模式図として示しているように、突っ張り壁部２８は、図１２（ａ）のように上方に直線的に延設されていてもよいし、図１２（ｂ）のように外側凸に湾曲しつつ上方に延設されていてもよいし、図１２（ｃ）のように内側凸に湾曲しつつ上方に延設されていてもよい。何れにしても突っ張り壁部２８はその左右両側の側壁部２０の部分に比して全体として急勾配であればよい。
【００２５】
尚、第一側壁上部２２の外面所定箇所には、容器本体１同士を複数重ね合わせた際において上側の容器本体１が下側の容器本体１にきつく嵌り合って離れなくなる現象（ブロッキング現象）を防止するためのブロッキング防止用突部２９が形成されている。該ブロッキング防止用突部２９は図５及び図６のように周方向に間隔をあけて複数箇所に形成されており、その配置は等間隔ではなく、また、容器本体１毎にその位置を周方向にずらすようにして形成されている。
【００２６】
また、嵌合壁部２７は容器本体１の開口縁部を構成する部分であって、上側に向けて徐々に内側（容器の中心側）に向かう逆テーパ状に傾斜している。即ち、嵌合壁部２７は上方に向けて縮径する形状となっており、その内面が容器本体１側の内嵌合面となる。尚、側壁部２０には従来公知のリブを形成してもよく、例えば上下方向に延びる突条のリブや凹条のリブを適宜形成してもよい。
【００２７】
側壁部２０の上端部にはフランジ部３０を形成してもよい。例えば、嵌合壁部２７の上端部に面取り部３１を介してフランジ部３０を形成することができる。このようにフランジ部３０を側壁部２０の上端部に全周に亘って形成する場合、そのフランジ部３０の平面形状は任意であって側壁部２０や底面部１０と同様に外縁を円形、即ち幅一定の環状のフランジ部３０としてもよいが、例えば図４に示すように、外縁が平面視略方形状とすることが好ましく、これによって底面部１０や側壁部２０が平面視円形であっても、容器本体１の平面視における平面形状は全体として略方形状となる。側壁部２０が平面視円形であって開口部も平面視円形であるので、外縁が平面視略方形状であるフランジ部３０は、四つの隅部３２において最も幅広となっており、容器本体１の中心からフランジ部３０の外縁までの距離も四つの隅部３２において最大となっている。このようにフランジ部３０を略方形状とする場合には、上述の突っ張り壁部２８はフランジ部３０の四つの隅部３２に対応した箇所にそれぞれ形成することが好ましい。
【００２８】
また、フランジ部３０に、上面が上下方向断面視において上側凸の円弧状である玉ぶち状部３３を有していることが好ましい。該玉ぶち状部３３はフランジ部３０の上面の外縁近傍に形成されることが好ましく、また、周方向に連続して全周に亘って突条として形成されることが好ましい。尚、玉ぶち状部３３の頂部の高さは周方向に一定としてもよいが、図２及び図８、図１０のように、四つの隅部３２において最も高く、隅部３２と隅部３２との間の中間位置にある辺中央部３４において最も低くなるようにすることが好ましい。図１０のように四つの隅部３２においてフランジ部３０の高さは、側壁部２０の上端部から外側に向けて徐々に迫り上がるようにして高くなっていき、玉ぶち状部３３の頂部において最も高くなる。隅部３２と隅部３２との間の辺中央部３４においては図８のようにフランジ部３０における玉ぶち状部３３の頂部の高さは側壁部２０の上端部の高さと略同じである。
【００２９】
また、玉ぶち状部３３の外側には外側に向けて下方に傾斜する傾斜面部３５が形成され、該傾斜面部３５の下端部には外側に向けて縁取り部３６が延設されている。該縁取り部３６はフランジ部３０の外縁となる部分であって、従って容器本体１の最外周縁となる部分を構成している。上述したように玉ぶち状部３３の頂部の高さは隅部３２において最も高くすることができるが、縁取り部３６の高さは全周に亘って略一定とすることが好ましい。その場合には傾斜面部３５の高さ寸法もそれに応じて変化することになり、傾斜面部３５の高さ寸法は隅部３２において最も大きく、隅部３２と隅部３２との間の辺中央部３４において最も小さくなる。尚、縁取り部３６の高さは側壁部２０の上端部の高さよりも低くすることが好ましい。
【００３０】
このようにフランジ部３０の外縁に縁取り部３６を全周に亘って設けることが好ましく、その全周の縁取り部３６によってフランジ部３０を効果的に補強することができる。縁取り部３６は、略水平に設けることが好ましく、その幅は例えば１ｍｍ〜２ｍｍ程度と細いものとすることができる。また、縁取り部３６の上面には、容器本体１を熱成形する際にそれと同時に細かな凹凸加工やエンボス加工を施して凹凸形状を形成することが好ましく、特に、側面視において正弦波や三角波、台形波等の波形形状に形成することが好ましい。例えば縁取り部３６の上面に容器本体１の内外方向即ち縁取り部３６の幅方向に沿った山と谷とを周方向に交互に連続的に形成することにより、縁取り部３６の上面に凹凸形状を形成することができる。尚、縁取り部３６の上面の凹凸形状は、例えば、平目ローレット目や綾目ローレット目のような各種のローレット目によって形成することができ、特に、滑りにくいように綾目ローレット目によって形成することが好ましい。
【００３１】
縁取り部３６の端面はシート成形時に抜刃でカットされたシート切断面であるが、縁取り部３６の上面に凹凸形状を形成することで、シート切断面の上側エッジライン（上側の輪郭線）が、縁取り部３６の上面の凹凸形状に対応して側面視（あるいは正面視）において上下に波打つように蛇行した波形形状となる。このように縁取り部３６の上側エッジラインが側面視波形形状となることで鋭利ではなくなり、容器に触れる指先を保護することができるうえに、縁取り部３６の強度、即ちシートエッジの強度を向上させることができ、縁取り部３６の外縁を起点として裂断することを効果的に防止することができる。従って、エンボス加工等された縁取り部３６は、フランジ部３０の全周に形成されることが好ましい。尚、縁取り部３６の上面の凹凸形状が縁取り部３６から傾斜面部３５へと連続するように形成されていてもよい。尚、縁取り部３６の下面は平坦面としてもよいが、その下面にも上面の凹凸に対応して凹凸形状を形成することが好ましい。
【００３２】
尚、フランジ部３０に各種の補強リブに代表される補強構造を採用してもよく、例えば内外方向に延びる補強リブを形成することができる。補強リブの形状や配置は任意である。尚、合成樹脂シートに発泡シートを使用する場合において、フランジ部３０の上面に上述のような玉ぶち状部３３を形成する場合には、フランジ部３０の下面には上方に凹んだ凹溝を周方向に沿って全周に亘って形成することが好ましく、フランジ部３０の下面に凹溝を形成することにより、フランジ部３０の上面を容易に上方に突出させて玉ぶち状部３３を形成することができる。凹溝は上下方向の断面視において略矩形であってもよいし略Ｕ字状やＶ字状であってもよく、その形状は任意であるが、この凹溝の所定箇所に他の部分よりも凹入深さが浅くなるように内外方向に延びる補強リブを形成してもよい。即ち、補強リブは凹溝の内外両壁面同士を局所的に架橋連結するように形成され、これによりフランジ部３０が下面側から内外方向に補強される。尚、補強リブを形成した箇所の肉厚は他の部分よりも厚くなる。
【００３３】
次に蓋体２の構成について説明する。蓋体２は、容器本体１と内嵌合する構造とすることが好ましい。例えば、蓋体２は、図８及び図９に示すように、天面部５０と、該天面部５０の周縁部から斜め下方に拡開するように垂下したスカート壁部５１と、該スカート壁部５１の下端部から外側に延設された環状の溝底部５２と、該溝底部５２の外縁から上側に折り返されるようにして上方に延びる嵌合壁部５３と、該嵌合壁部５３の上端部に面取り部５４を介して外側に延設されたフランジ部５５とを備えた構成とすることができる。
【００３４】
天面部５０は図７のように略円形であって、その上面の周縁部にはガード突起５６が上方に向けて突設されている。該ガード突起５６は、包装用容器を積み重ねた際に、上側の包装用容器の位置ずれを抑制するためのものであり、天面部５０に容器本体１の底面部１０が載置された状態でその容器本体１の側壁部２０の下端部を外側からガードして容器本体１の横方向への位置ずれを抑制する。従って、ガード突起５６は、容器本体１の側壁部２０の下端部をガードし得る構成であればよく、その形状や配置態様は任意であって、全周に亘って形成してもよいが、必ずしも全周に亘って形成する必要はなく、例えば、全周のうち所定範囲のみに突条として形成してもよい。また、ガード突起５６の内側の側面５６ａ（壁面）は、略垂直に立ち上がる形状としてもよいし、その形状は任意であるが、容器本体１の側壁部２０の下端部の立ち上がり形状に対応したものとすることが好ましい。上述のように、容器本体１の側壁部２０が底面部１０から外側凸に湾曲しつつ上方に立ち上がっている場合には、その形状に対応して、ガード突起５６の内側の側面５６ａを、図８及び図９のように外側に向けて迫り上がる形状（外側凸に湾曲した形状）とすることが好ましい。
【００３５】
また、天面部５０の周縁部の一部にガード突起５６を形成しないようにしてもよく、その場合、ガード突起５６を形成しない領域においては天面部５０からスカート壁部５１へと傾斜した傾斜面５７を形成して該傾斜面５７をラベル表示部として用いてもよい。また、そのガード突起５６を形成しない領域を例えば正面側とすることができる。このようなガード突起５６を形成しない領域や傾斜面５７を設けることで蓋体２の向きを容易に把握することができ、容易に整列配置できる。
【００３６】
尚、天面部５０には切り込み線５８を一箇所あるいは複数箇所形成してもよい。該切り込み線５８の形状は例えばＣ字状とすることができる。切り込み線５８をＣ字状とすると、天面部５０に略円形の孔を形成することができる。
【００３７】
スカート壁部５１の外面下端部にも容器本体１と同様にブロッキング防止用突部５９を複数形成することが好ましい。嵌合壁部５３は容器本体１の嵌合壁部２７と内嵌合するものであって、容器本体１の嵌合壁部２７に対応して、上方に向けて徐々に内側に傾斜した逆テーパ状に形成されており、その外面が内嵌合面となる。図９に示すように、蓋体２の嵌合壁部５３が容器本体１の嵌合壁部２７の内側に進入するように嵌り込んで内嵌合し、これにより容器本体１の開口部を内側から全周に亘ってシールする。
【００３８】
蓋体２のフランジ部５５は略水平に延びていることが好ましい。また、平面視において蓋体２のフランジ部５５の外縁は周方向の一部を除いて円形とすることができ、その幅は容器本体１のフランジ部５５の外縁よりも外側にはみ出さない程度の細幅とすることが好ましい。更に、蓋体２のフランジ部５５には、その幅を局所的に幅広とした摘み部６０を設けることが好ましく、その摘み部６０の形状は任意であるが例えば容器本体１のフランジ部３０の隅部３２の形状に対応したものとすることができる。該摘み部６０は一箇所でもよく、複数箇所でもよく、好ましくは、ガード突起５６を形成しない領域（ラベル表示部）の左隣あるいは右隣に形成する。
【００３９】
図９のように閉蓋状態において蓋体２のフランジ部５５は容器本体１のフランジ部３０の上面に近接ないし当接することが好ましい。上述したように容器本体１のフランジ部３０における玉ぶち状部３３の頂部の高さは隅部３２において高くなっているが、蓋体２のフランジ部５５の高さは全周に亘って略一定である。閉蓋状態において、蓋体２の摘み部６０は容器本体１のフランジ部３０の隅部３２の上側に重なるため、蓋体２の摘み部６０は容器本体１のフランジ部３０の隅部３２における迫り上がり形状に追従するように上方に撓んで変形して重なり合った状態となる。尚、蓋体２の摘み部６０の下面には凸部６１（例えば半球状）を下方に向けて突設することが好ましい。蓋体２の摘み部６０の下面に凸部６１を形成すると、閉蓋状態において蓋体２の摘み部６０を容器本体１のフランジ部３０から僅かに上方に離間させることができるので、容易に蓋体２の摘み部６０を摘んで蓋体２を開けることができる。このように摘み部６０の下面に凸部６１を形成することは、蓋体２の摘み部６０が容器本体１のフランジ部３０から外側にはみ出さない形態において特に有効である。従って、容器本体１のフランジ部３０の隅部３２が隅切りされているような場合においては、蓋体２の摘み部６０の少なくとも一部が容器本体１のフランジ部３０の隅部３２から外側にはみ出す形態とすることもまた好ましい。
【００４０】
尚、蓋体２のフランジ部５５の上面や下面にも容器本体１のフランジ部３０の縁取り部３６と同様に内外方向（径方向）に延びる凹凸形状を全周に亘って形成することが好ましい。該凹凸形状は蓋体２のフランジ部５５の全幅に亘って形成してもよいが、全幅のうち外側領域のみに形成してもよい。また、蓋体２の摘み部６０においては、容器本体１の縁取り部３６と同様の内外方向に延びる凹凸形状に加えて、それと交差する方向に延びる突条あるいは凹条を一定間隔毎に形成すると、摘み部６０をより一層容易に摘むことができるため好ましく、また摘み部６０の位置も容易に視認できる。即ち、蓋体２の摘み部６０においては綾目ローレット目とし、それ以外の箇所においては平目ローレット目とすることが好ましい一例である。
【００４１】
容器本体１及び蓋体２はいわゆるシート成形により形成されている。シート成形としては例えば真空成形、圧空成形、真空圧空成形、両面真空成形、熱板成形等があり、何れにしても合成樹脂シートを熱成形することにより形成される。ここで、合成樹脂シートとしては、例えばポリエチレンテレフタレート等のポリエステル系樹脂や、ポリスチレン等のスチレン系樹脂、ポリプロピレンやポリエチレン等のポリオレフィン系樹脂から構成されたシートを使用できる。尚、これらの樹脂に無機物を充填したシートや、これらの樹脂を発泡させた発泡シートや、これらのシートを延伸した延伸シートを使用できる。尚、シートは、単層のみならず多層であってもよい。尚、透明なシートを用いることも好ましく、特に蓋体２に用いると内容物の視認性に優れるため好ましい。尚、容器本体１と蓋体２に使用する合成樹脂シートは、互いに同じものであってもよいし異なるものであってもよい。
【００４２】
以上のように本実施形態における包装用容器にあっては、突っ張り壁部２８がその左右両側の部分に比して急勾配であって側壁部２０の上下方向中途部まで延びているので、側壁部２０に上方から圧縮方向の力が作用した場合に突っ張り壁部２８が突っ張りとなって側壁部２０を支持する。突っ張り壁部２８は外方に膨出した凸形状であるので上下方向の力に対する強度、剛性が大きく、しかも、その左右両側の側壁部２０の部分に比して急勾配であるので、上方からの圧縮力に対して側壁部２０がその下端部を基点として拡開方向に変形しようとしても、突っ張り壁部２８が側壁部２０の突っ張りとして機能して側壁部２０を支持して、その拡開方向の変形を抑制するのである。
【００４３】
特に、側壁部２０が底面部１０の接地面部１１の外縁から緩やかな角度で上方に立ち上がっている場合には突っ張り壁部２８を設けることの効果が大きく、その中でも、側壁部２０が外側凸の円弧を描きつつ上方に立ち上がっている場合において効果が大きい。
【００４４】
更に、側壁部２０から底面部１０にまで延びる外側凸の多数のリブとは異なり、平坦な接地面部１１によって安定した接地状態が得られる。また、突っ張り壁部２８は外側に膨出した形状であるので、突っ張り壁部２８を側壁部２０に形成しても突っ張り壁部２８が被包装物を取り出す際の邪魔になるということもない。特に、被包装物が細かくカットされたり小さくカットされたりしたカット食材である場合や、小さくて比較的取り出しにくい豆類やナッツ類、ブルーベリー等の小型の果実である場合においても、突っ張り壁部２８が邪魔になることなくスムーズに容器本体１から取り出すことができる。更に、突っ張り壁部２８が形成されることによってその箇所の内面は凹んだ形状となっており、また接地面拡張部１３が接地面部１１の周縁部から外側に張り出した状態となっているので、例えば底面部１０の内面に残った豆等の転がりやすい小さな食材を、接地面拡張部１３の内面と突っ張り壁部２８の内面によって形成される張り出し空間に追い込んで安定させて、そこから容易に取り出すということもできる。特に、本実施形態のように底面部１０が略円形であって側壁部２０もそれに応じて筒状となっている場合には、豆等の食材を箸等で取り出そうとしてもその食材が周方向に転がるように逃げたり滑ったりして取り出しにくいのであるが、接地面拡張部１３と突っ張り壁部２８を形成することによって底面部１０の内面に擬似的に隅部を形成することができ、その隅部を利用して食材を安定させて容易に取り出すことができる。従って、小さな食材等の被包装物の取り出し容易性については特に底面部１０が略円形あるいは略楕円形である場合において接地面拡張部１３と突っ張り壁部２８を形成することのメリットが大きい。
【００４５】
また更に、側壁部２０の上端部にフランジ部３０が周設され、該フランジ部３０の外縁形状が平面視略方形状である場合には、フランジ部３０の四つの隅部３２に上方から力が作用しやすく、容器本体１の中心からの距離も長いことから側壁部２０がその隅部３２に対応した位置において変形しやすくなる。従って、そのような場合には特にフランジ部３０の四つの隅部３２に対応した側壁部２０の四つの位置にそれぞれ突っ張り壁部２８を形成することが好ましく、側壁部２０の変形を突っ張り壁部２８によって効果的に抑制することができ、また、フランジ部３０に作用する上方からの力に対して四つの突っ張り壁部２８が荷重を分担して側壁部２０を支えることができる。
【００４６】
また、容器本体１の開口部を内嵌合により密封する蓋体２を備えている場合には特に効果的である。このような内嵌合容器においては、蓋体２を閉じる際に、上から蓋体２を強く押して容器本体１に内嵌合させる必要があるうえに、閉蓋動作によって容器の内圧が高まりやすく、その内圧によって容器本体１が外側に変形しやすい。従って、このような内嵌合容器においては特に容器本体１の側壁部２０に突っ張り壁部２８を形成することが好ましく、蓋体２を閉じる際における容器本体１の変形を効果的に抑制することができる。突っ張り壁部２８は、側壁部２０の上下方向中途部で止まっていて側壁部２０の上端部まで延びているものではないので、突っ張り壁部２８を設けても開口縁部の形状には影響がなく、従って容易に内嵌合構造を採用することができて高いシール性を確保できる。また、突っ張り壁部２８は、側壁部２０の上下方向中途部で止まっていて側壁部２０の上端部まで延びているものではないので、突っ張り壁部２８によって側壁部２０の下部ないしは全体的な変形を抑制しつつも、容器本体１の開口縁部である側壁部２０の嵌合壁部２７即ち側壁部２０の上端部についてはその内外方向（拡縮方向）の変形を内嵌合できる程度には許容することができ、蓋体２の開け閉めには支障がなく容易に行うことができる。即ち、側壁部２０の強度を確保しつつも内嵌合構造を維持することができる。
【００４７】
尚、蓋体２の上面に、包装用容器を積み上げた際に上側の容器本体１の接地面拡張部１３が内側から係合可能な係合部６２を形成してもよい。このように蓋体２の上面の係合部６２に接地面拡張部１３を係合させるようにすると、容器本体１の接地面拡張部１３を有効に利用して段積み時における包装用容器の横方向の位置ずれを防止することができ、安定した段積み状態が得られる。
【００４８】
かかる係合部６２の形状、配置は任意であるが、例えば、図１６（ａ）のように、天面部５０の上面の周縁部に周方向に延びるガード突起５６を形成し、その内側の側面５６ａに外側凹の係合部６２を形成することができる。係合部６２は容器本体１の接地面拡張部１３の形状に対応したものとすることが好ましい。尚、図１６においてはガード突起５６をクロスハッチングを施して示している。特に、接地面拡張部１３を図１５（ｂ）のように左右両端から外側凹の円弧を描きつつ先端に向かってその幅が徐々に細くなる先細り形状とし、蓋体２の係合部６２もそれに対応した形状とすることが好ましく、より一層確実な係合状態が得られる結果、より一層安定した段積み状態が得られる。尚、図１６のように、容器本体１の底面部１０が底面視において略方形である場合には、その四つの隅部に接地面拡張部１３を形成することが好ましく、底面部１０がその他の多角形である場合も同様に隅部に接地面拡張部１３を形成することが好ましい。
【００４９】
また、ガード突起５６を周方向に延びる連続した形状とするのではなく、図１６（ｂ）のように、周方向に離間した一対のガード突起５６の間に接地面拡張部１３が係合するようにしてもよい。その場合、一対のガード突起５６の互いに対峙する側面５６ａの部分から係合部６２が形成されることになる。尚、この場合における一対のガード突起５６の形状も任意であって、図１６（ｂ）のように島状に形成してもよいし、周方向に長い形状としてもよく、例えば全周のうち接地面拡張部１３に対応した箇所のみが切り欠かれてその切欠部における側面５６ａから係合部６２を形成するようにしてもよい。
【００５０】
尚、このように蓋体２の上面に係合部６２を形成する場合には、図１７に示すように、容器本体１の側壁部２０の下端部に、ガード突起５６の突出量に対応した高さを有して垂直に近い角度で立ち上がる段積み用立ち上がり部６３を周設して、その段積み用立ち上がり部６３の上側から徐々に外側に拡開していくようにすることが好ましい。その場合、突っ張り壁部２８にも同様に段積み用立ち上がり部６３を形成して、その突っ張り壁部２８における段積み用立ち上がり部６３が係合部６２に内側から係合するようにする。突っ張り壁部２８においても側壁部２０の他の部分と同様に段積み用立ち上がり部６３よりも上側の部分が徐々に拡開していくことになるが、その上側の部分が、側壁部２０の他の部分、特に左右両側の側壁部２０の部分よりも急勾配となる。
【００５１】
尚、接地面拡張部１３及び突っ張り壁部２８を設ける構成は、内嵌合構造に限らず外嵌合構造にも適用可能であり、容器本体１がフランジ部３０を有していないものや、蓋体２を有していない包装用容器にも適用可能である。
【符号の説明】
【００５２】
１    容器本体
２    蓋体
１０    底面部
１１    接地面部
１２    上げ底部
１３    接地面拡張部
２０    側壁部
２１    側壁主部
２２    第一側壁上部
２３    段差部
２４    第二側壁上部
２５    段差部
２６    面取り部
２７    嵌合壁部
２８    突っ張り壁部
２９    ブロッキング防止用突部
３０    フランジ部
３１    面取り部
３２    隅部
３３    玉ぶち状部
３４    辺中央部
３５    傾斜面部
３６    縁取り部
５０    天面部
５１    スカート壁部
５２    溝底部
５３    嵌合壁部
５４    面取り部
５５    フランジ部
５６    ガード突起
５６ａ  側面
５７    傾斜面
５８    切り込み線
５９    ブロッキング防止用突部
６０    摘み部
６１    凸部
６２    係合部
６３    段積み用立ち上がり部
【図１】
2014218265.tif 000003
【図２】
2014218265.tif 000004
【図３】
2014218265.tif 000005
【図４】
2014218265.tif 000006
【図５】
2014218265.tif 000007
【図６】
2014218265.tif 000008
【図７】
2014218265.tif 000009
【図８】
2014218265.tif 000010
【図９】
2014218265.tif 000011
【図１０】
2014218265.tif 000012
【図１１】
2014218265.tif 000013
【図１２】
2014218265.tif 000014
【図１３】
2014218265.tif 000015
【図１４】
2014218265.tif 000016
【図１５】
2014218265.tif 000017
【図１６】
2014218265.tif 000018
【図１７】
2014218265.tif 000019